【手続補正書】
【提出日】平成16年1月20日(2004.1.20)
【手続補正１】
【補正対象書類名】明細書
【補正対象項目名】特許請求の範囲
【補正方法】変更
【補正の内容】
【特許請求の範囲】
【請求項１】
行列配置された複数の画素のうち、選択した行を構成する画素に所定の映像信号を印加することにより所定の映像を表示する液晶表示装置の駆動方法であって、
列方向または行方向において、複数の画素をそれぞれが少なくとも２画素からなる複数のグループに分け、該グループごとに映像信号の極性を変化させる液晶表示装置の駆動方法。
【請求項２】
行列配置された複数の画素のうち、選択した行を構成する画素に所定の映像信号を印加することにより所定の映像を表示する液晶表示装置の駆動方法であって、列方向および行方向において、複数の画素をそれぞれが少なくとも２画素からなる複数のグループに分け、該グループごとに映像信号の極性を変化させる液晶表示装置の駆動方法。
【請求項３】
各グループを構成する画素を１フレームごとに変化させる請求項１または２記載の液晶表示装置の駆動方法。
【請求項４】
１つのグループがｎ画素からなり、１フレームごとにグループ間の境界部をｎ−１画素分ずらす請求項１または２記載の液晶表示装置の駆動方法。
【請求項５】
１つのフレームにおいて、１つのグループを構成する画素の数をグループごとに変化させる請求項１または２記載の液晶表示装置の駆動方法。
【請求項６】
前記１つのグループを構成する画素の数を規則的に変化させる請求項５記載の液晶表示装置の駆動方法。
【請求項７】
前記１つのグループを構成する画素の数を不規則に変化させる請求項５記載の液晶表示装置の駆動方法。
【請求項８】
前記１つのグループを構成する画素の数に制限を設ける請求項７記載の液晶表示装置の駆動方法。 
【請求項９】
行列配置された複数の画素のうち、選択した行を構成する画素に所定の映像信号を印加することより所定の映像を表示する液晶表示装置の駆動方法であって、
列方向または行方向において、複数の画素を複数のフレームでまとめてセットとし、セットごとに映像信号の極性を変化させる液晶表示装置の駆動方法。 
【請求項１０】
同時に選択する行の数が少なくとも２つである請求項１または９記載の液晶表示装置の駆動方法。
【請求項１１】
前記映像信号を変化させるタイミングを制御する垂直クロック信号の制御基準となる極性反転エッジの前後で同一の行を選択する場合、前記垂直クロック信号の極性が変化するとき、当該行に、選択する行を制御するライン信号をローレベルとする請求項１０記載の液晶表示装置の駆動方法。
【請求項１２】
列方向において、前記同時に選択する行を構成する画素の極性が同じである請求項１１記載の液晶表示装置の駆動方法。
【請求項１３】
同時に選択する行の数が少なくとも２つであり、同時に選択した行を構成する画素の極性が列方向において同じである請求項１、２、８または９記載の液晶表示装置の駆動方法。
【請求項１４】
前記セットを構成するフレームの数を規則的に変化させる請求項９記載の液晶表示装置の駆動方法。
【請求項１５】
前記セットを構成するフレームの数を不規則に変化させる請求項９記載の液晶表示装置の駆動方法。
【請求項１６】
映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の極性をグループごとに変化させる液晶表示装置。
【請求項１７】
映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の数をグループごとにランダムに変化させる液晶表示装置。
【請求項１８】
極性制御信号発生回路は、ランダムパターン発生回路および変調回路を含み、制御信号はランダム発生回路の出力が変調回路を経て変調されることにより生成される請求項１７記載の液晶表示装置。
【手続補正２】
【補正対象書類名】明細書
【補正対象項目名】００１２
【補正方法】変更
【補正の内容】
【００１２】
【課題を解決するための手段】
本発明の請求項１記載の液晶表示装置の駆動方法は、行列配置された複数の画素のうち、選択した行を構成する画素に所定の映像信号を印加することにより所定の映像を表示する液晶表示装置の駆動方法であって、列方向または行方向において、複数の画素をそれぞれが少なくとも２画素からなる複数のグループに分け、該グループごとに映像信号の極性を変化させるものである。


【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２６
【補正方法】変更
【補正の内容】
【００２６】
本発明の請求項２記載の液晶表示装置の駆動方法は、行列配置された複数の画素のうち、選択した行を構成する画素に所定の映像信号を印加することにより所定の映像を表示する液晶表示装置の駆動方法であって、列方向および行方向において、複数の画素をそれぞれが少なくとも２画素からなる複数のグループに分け、該グループごとに映像信号の極性を変化させるものである。


【手続補正１５】
【補正対象書類名】明細書
【補正対象項目名】００２７
【補正方法】変更
【補正の内容】
【００２７】
本発明の請求項９記載の液晶表示装置の駆動方法は、行列配置された複数の画素のうち、選択した行を構成する画素に所定の映像信号を印加することより所定の映像を表示する液晶表示装置の駆動方法であって、
列方向または行方向において、複数の画素を複数のフレームでまとめてセットとし、セットごとに映像信号の極性を変化させるものである。


【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】変更
【補正の内容】
【００４１】
本発明の請求項１６記載の液晶表示装置は、映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の極性をグループごとに変化させるものである。


【手続補正３０】
【補正対象書類名】明細書
【補正対象項目名】００４２
【補正方法】変更
【補正の内容】
【００４２】
本発明の請求項１７記載の液晶表示装置は、映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の数をグループごとにランダムに変化させるものである。


【手続補正３１】
【補正対象書類名】明細書
【補正対象項目名】００４３
【補正方法】削除
【補正の内容】
【手続補正３２】
【補正対象書類名】明細書
【補正対象項目名】０１０６
【補正方法】変更
【補正の内容】
【０１０６】
【発明の効果】
本発明の請求項１記載の液晶表示装置の駆動方法は、行列配置された複数の画素のうち、選択した行を構成する画素に所定の映像信号を印加することにより所定の映像を表示する液晶表示装置の駆動方法であって、列方向または行方向において、複数の画素をそれぞれが少なくとも２画素からなる複数のグループに分け、該グループごとに映像信号の極性を変化させるものであるので、フリッカやクロストークが少ない高画質の表示が低消費電力で実現できる。


【手続補正３３】
【補正対象書類名】明細書
【補正対象項目名】０１０７
【補正方法】削除
【補正の内容】
【手続補正３４】
【補正対象書類名】明細書
【補正対象項目名】０１０８
【補正方法】削除
【補正の内容】
【手続補正３５】
【補正対象書類名】明細書
【補正対象項目名】０１０９
【補正方法】削除
【補正の内容】
【手続補正３６】
【補正対象書類名】明細書
【補正対象項目名】０１１０
【補正方法】削除
【補正の内容】
【手続補正３７】
【補正対象書類名】明細書
【補正対象項目名】０１１１
【補正方法】削除
【補正の内容】
【手続補正３８】
【補正対象書類名】明細書
【補正対象項目名】０１１２
【補正方法】削除
【補正の内容】
【手続補正３９】
【補正対象書類名】明細書
【補正対象項目名】０１１３
【補正方法】削除
【補正の内容】
【手続補正４０】
【補正対象書類名】明細書
【補正対象項目名】０１１４
【補正方法】削除
【補正の内容】
【手続補正４１】
【補正対象書類名】明細書
【補正対象項目名】０１１５
【補正方法】削除
【補正の内容】
【手続補正４２】
【補正対象書類名】明細書
【補正対象項目名】０１１６
【補正方法】削除
【補正の内容】
【手続補正４３】
【補正対象書類名】明細書
【補正対象項目名】０１１７
【補正方法】削除
【補正の内容】
【手続補正４４】
【補正対象書類名】明細書
【補正対象項目名】０１１８
【補正方法】変更
【補正の内容】
【０１１８】
本発明の請求項２記載の液晶表示装置の駆動方法は、行列配置された複数の画素のうち、選択した行を構成する画素に所定の映像信号を印加することにより所定の映像を表示する液晶表示装置の駆動方法であって、列方向および行方向において、複数の画素をそれぞれが少なくとも２画素からなる複数のグループに分け、該グループごとに映像信号の極性を変化させるものであるので、フリッカやクロストークが少ない高画質の表示が低消費電力で実現できる。


【手続補正４５】
【補正対象書類名】明細書
【補正対象項目名】０１１９
【補正方法】変更
【補正の内容】
【０１１９】
本発明の請求項９記載の液晶表示装置の駆動方法は、行列配置された複数の画素のうち、選択した行を構成する画素に所定の映像信号を印加することより所定の映像を表示する液晶表示装置の駆動方法であって、
列方向または行方向において、複数の画素を複数のフレームでまとめてセットとし、セットごとに映像信号の極性を変化させるものであるので、充電時間を長くして高画質の表示が実現できる。


【手続補正４６】
【補正対象書類名】明細書
【補正対象項目名】０１２０
【補正方法】削除
【補正の内容】
【手続補正４７】
【補正対象書類名】明細書
【補正対象項目名】０１２１
【補正方法】削除
【補正の内容】
【手続補正４８】
【補正対象書類名】明細書
【補正対象項目名】０１２２
【補正方法】削除
【補正の内容】
【手続補正４９】
【補正対象書類名】明細書
【補正対象項目名】０１２３
【補正方法】削除
【補正の内容】
【手続補正５０】
【補正対象書類名】明細書
【補正対象項目名】０１２４
【補正方法】削除
【補正の内容】
【手続補正５１】
【補正対象書類名】明細書
【補正対象項目名】０１２５
【補正方法】削除
【補正の内容】
【手続補正５２】
【補正対象書類名】明細書
【補正対象項目名】０１２６
【補正方法】削除
【補正の内容】
【手続補正５３】
【補正対象書類名】明細書
【補正対象項目名】０１２７
【補正方法】削除
【補正の内容】
【手続補正５４】
【補正対象書類名】明細書
【補正対象項目名】０１２８
【補正方法】削除
【補正の内容】
【手続補正５５】
【補正対象書類名】明細書
【補正対象項目名】０１２９
【補正方法】削除
【補正の内容】
【手続補正５６】
【補正対象書類名】明細書
【補正対象項目名】０１３０
【補正方法】削除
【補正の内容】
【手続補正５７】
【補正対象書類名】明細書
【補正対象項目名】０１３１
【補正方法】削除
【補正の内容】
【手続補正５８】
【補正対象書類名】明細書
【補正対象項目名】０１３２
【補正方法】削除
【補正の内容】
【手続補正５９】
【補正対象書類名】明細書
【補正対象項目名】０１３３
【補正方法】変更
【補正の内容】
【０１３３】
本発明の請求項１６記載の液晶表示装置は、映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の極性をグループごとに変化させるものであるので、フリッカやクロストークが少ない高画質の表示が低消費電力で実現できる。


【手続補正６０】
【補正対象書類名】明細書
【補正対象項目名】０１３４
【補正方法】変更
【補正の内容】
【０１３４】
本発明の請求項１７記載の液晶表示装置は、映像信号を駆動する信号駆動回路、ライン信号を駆動するライン駆動回路、および映像信号の極性変化の制御信号を発生する極性制御信号発生回路を少なくとも含み、前記制御信号により１つのグループを構成する画素の数をグループごとにランダムに変化させるものであるので、フリッカやクロストークが少ない高画質の表示が低消費電力で実現できる。


【手続補正６１】
【補正対象書類名】明細書
【補正対象項目名】０１３５
【補正方法】削除
【補正の内容】